(57)【要約】【課題】広い照光範囲を得るとともに輝度分布の偏りを低減する。【解決手段】光を出射する光源２０と、光透過性材料で形成され、光源２０に対して光源２０の光軸Ａｃ方向で対向配置されている第一導光プレート３１とを備える。第一導光プレート３１の光源２０と対向する側に、光源２０側に向かって突出し、光源２０の光軸Ａｃ上を頂点として滑らかに湾曲した凸部３１Ａが形成されている。第一導光プレート３１の凸部３１Ａの表面を含む光源２０と対向する側の面が第一入光面と成し、第一導光プレート３１の光源２０と対向する側との反対側が第一出光面３５を成すことを特徴とする照光装置。【選択図】図３
2015041559.tif 000002
【特許請求の範囲】
【請求項１】
光を出射する光源と、
光透過性材料で形成され、前記光源に対して前記光源の光軸方向で対向配置されている第一導光プレートと、
を備え、
前記第一導光プレートの前記光源と対向する側に、前記光源側に向かって突出し、前記光源の光軸上を頂点として滑らかに湾曲した凸部が形成され、
前記第一導光プレートの前記凸部の表面を含む前記光源と対向する側の面が第一入光面を成し、前記第一導光プレートの前記光源と対向する側との反対側が第一出光面をなす、
照光装置。
【請求項２】
前記第一導光プレートの前記光源と対向する側であって、前記凸部の周りには、平坦部が形成され、前記凸部の表面から前記平坦部の表面にかけて滑らかに連続しており、前記凸部の表面と前記平坦部の表面とを含む面が前記第一入光面を成す、
請求項１に記載の照光装置。
【請求項３】
前記第一出光面は、前記平坦部の表面と平行である、
請求項２に記載の照光装置。
【請求項４】
前記第一導光プレートに対して前記光源側に配置され、前記第一導光プレートの前記光透過性材料と光拡散率が異なる光透過性材料で形成され、前記光源と対向する面が第二入光面を成し、前記第一導光プレートと対向する面が第二出光面を成す第二導光プレートを備える、
請求項１から３のいずれか一項に記載の照光装置。
【請求項５】
前記第二導光プレートの第二出光面は、前記第一導光プレートの第一入光面に密着している
請求項４に記載の照光装置。
【請求項６】
前記光源を複数備え、
前記第一導光プレートには、複数の前記光源の数量に対応した数の前記凸部が形成されている、
請求項１から５のいずれか一項に記載の照光装置。
【請求項７】
請求項１から６のいずれか一項に記載の照光装置と、
前記照光装置の前記光源を発光させる制御回路と、
を備えている携帯用電子機器。
【請求項８】
光源から出射された光を外部に照光する照光方法において、
光透過性材料で形成されている第一導光プレートを前記光源に対して前記光源の光軸方向で対向配置し、
前記第一導光プレートの前記光源側の面である第一入光面から前記光源からの光を入光させ、前記第一入光面上であって前記光軸に対して垂直な方向で互いに異なる位置に入光した光を互いに異なる方向に向かわせ、
前記第一導光プレートの前記第一入光面とは反対側の第一出光面から、前記第一入光面から入光した光を出光させ、
前記第一導光プレートの前記第一入光面は、前記光軸から前記光軸に対して垂直な距離の連続的な変化に対して、入光した光が向かう方向を連続的に変化させる、
照光方法。
【請求項９】
前記第一導光プレートの前記光透過性材料と光拡散率が異なる光透過性材料で形成された第二導光プレートを、前記第一導光プレートに対して前記光源側に配置する、
照光方法。
【発明の詳細な説明】
【技術分野】
【０００１】
本発明は、光源からの光を利用して製品の加飾、使用者への情報通知を行う照光装置、照光方法、及び携帯用電子機器に関する。
【背景技術】
【０００２】
近年、携帯電話やスマートフォンに代表される携帯用通信機器において、電話やメールの着信等を使用者に通知するための一手段として、機器筐体の一部を発光させることで通知を行う照光装置の実装が増えている。
【０００３】
このような照光装置としては、例えば以下の特許文献１、２に記載のものが知られている。特許文献１に記載された装置は、樹脂材料により形成されたライトガイドと、ライトガイド内部に例えば光偏向粒子や気泡等を内包して形成される光偏向器と、およびライトガイドに埋め込まれた光源を備えている。この光偏向器により、ライトガイド内部に照射された光を偏向し、広い範囲に対して照光を行うことを可能にしている。
また、特許文献２に記載された装置は、光源と導光部材とを備えている。該導光部材の光源と対向する面と反対側の面には、凹状部が形成されており、光源から導光部に入射した光の一部は凹状部で反射され、導光部材の横方向へ伝搬される。これにより、広い範囲に対して照光を行うことを可能にしている。
【先行技術文献】
【特許文献】
【０００４】
【特許文献１】特表２０１２−５２６３６３号公報
【特許文献２】特開２００７−２００８７６号公報
【発明の概要】
【発明が解決しようとする課題】
【０００５】
しかしながら、上記特許文献１の装置では、光源から照射された光をライトガイドに照射した際に十分に拡散させることができない。したがって、この装置ではライトガイド上における輝度分布に偏りが生じ、いわゆる目玉感が際立ってしまう可能性がある。また、上記特許文献２の装置では、導光部材に設けられた凹状部と平面部の境界が角部を形成しているために、この角部において光が収斂することで、導光部材上における輝度分布の偏りを生じ、十分な照光範囲を得られない可能性がある。
【０００６】
本発明は上記課題を解決することのできる照光装置、照光方法、及び該照光装置を備えた携帯用電子機器を提供するものである。
【課題を解決するための手段】
【０００７】
上記課題を解決するため、本発明の照光装置は、以下の手段を提案している。
本発明の第一態様に係る照光装置は、光を出射する光源と、光透過性材料で形成され、光源に対して前記光源の光軸方向で対向配置されている第一導光プレートとを備え、第一導光プレートの前記光源と対向する側に、前記光源側に向かって突出し、前記光源の光軸上を頂点として滑らかに湾曲した凸部が形成され、第一導光プレートの凸部の表面を含む光源と対向する側の面が第一入光面を成し、第一導光プレートの光源と対向する側との反対側が第一出光面をなすことを特徴とする。
【０００８】
また、本発明の第一態様に係る照光方法は、光源から出射された光を外部に照光する照光方法において、光透過性材料で形成されている第一導光プレートを光源に対して光源の光軸方向で対向配置し、第一導光プレートの光源側の面である第一入光面から光源からの光を入光させ、第一入光面上であって光軸に対して垂直な方向で互いに異なる位置に入光した光を互いに異なる方向に向かわせ、第一導光プレートの前記第一入光面とは反対側の第一出光面から、前記第一入光面から入光した光を出光させ、第一導光プレートの前記第一入光面は、前記光軸から前記光軸に対して垂直な距離の連続的な変化に対して、入光した光が向かう方向を連続的に変化させることを特徴とする。
【発明の効果】
【０００９】
本発明の照光装置によれば、広い照光範囲が得られるとともに、輝度分布の偏り、いわゆる目玉感の低減を図ることができる。
【図面の簡単な説明】
【００１０】
【図１】本発明の第一実施形態に係る照光装置を備えた携帯用電子機器の全体斜視図である。
【図２】図１のＩＩ−ＩＩ断面における断面図である。
【図３】図２の要部拡大図である。
【図４】本発明の第一実施形態に係る導光プレート内部における光の進路の概略を示した概念図である。
【図５】本発明の第一実施形態に係る導光プレートの分解斜視図である。
【図６】本発明の第二実施形態に係る照光装置の全体側面図である。
【発明を実施するための形態】
【００１１】
（第一実施形態）
以下、本発明に係る照光装置の第一実施形態について、図１から図５を参照して説明する。
（携帯用電子機器）
図１は、本発明に係る照光装置３を備えた携帯用電子機器１の一例を示す全体図である。携帯用電子機器１としては、例えば携帯電話、スマートフォン等の携帯用通信機器や、タブレット端末等が挙げられる。本実施形態における携帯用電子機器１は平面視長方形で、厚肉平板状の外形をなしている。携帯用電子機器１の一つの面上には、液晶画面部２が設けられており、使用者はこの液晶画面部２を通じて種々の操作を行う。以下の説明では、液晶画面部２が位置する側を正面側とし、該正面側と反対側を背面側とする。さらに、正面側から背面側に向かう方向を厚さ方向とする。
【００１２】
図２は、図１のＩＩ−ＩＩ線における断面図である。図２に示すように、本実施形態に係る携帯用電子機器１は、第一ケース１０Ａと、第二ケース１０Ｂと、第一ケース１０Ａと第二ケース１０Ｂの間に挟持固定された基板収容ケース１０Ｃとを備えている。
【００１３】
液晶画面部２は、第一ケース１０Ａに設けられ、この第一ケース１０Ａの正面側に露出している。第一ケース１０Ａ及び液晶画面部２と、基板収納ケース１０Ｃとの間は、基板収納空間を成している。この基板収納空間には、基板６０と、基板の正面側に配置されている電源制御回路６１と、基板６０の正面側に配置され、電源制御回路６１により駆動する照光装置３とが配置されている。
【００１４】
（照光装置）
本実施形態に係る照光装置３は、基板６０上に設けられた光源２０と、光源２０の正面側に配置されている導光プレート３０と、を備えている。導光プレート３０は、光源２０から正面側に離間した位置に、第一ケース１０Ａに設けられた導光プレート支持部材４０により固定支持されている。この導光プレート３０は、図１に示すように、携帯用電子機器１の長手方向において液晶画面部２と隣接する位置に配置されている。この導光プレート３０は、携帯用電子機器１の短手方向にわたって帯状に延在し、一部が第一ケース１０Ａから正面側に露出している。
【００１５】
（光源）
光源２０としては、例えば表面実装型ＬＥＤ素子が用いられる。光源２０であるＬＥＤ素子は、はんだ付け等の手段によって、基板６０上に固定実装されている。表面実装型ＬＥＤは閾値を超える電圧が印加されることで発光する公知の回路素子である。また、基板６０はガラスエポキシ基板やアルミナ基板等で形成された公知の電気配線用材料であり、その一方の面、もしくは両面にはエッチングによって所望のプリント配線（不図示）が形成されている。
【００１６】
光源２０であるＬＥＤは、はんだ付けによって基板６０上のプリント配線に電気的に接続されている。このプリント配線を通じて、ＬＥＤに対してバッテリー等の駆動用電源（不図示）からの電源電圧が電源制御回路６１を介して印加される。本実施形態においては、光源２０として二つのＬＥＤが基板６０上で、携帯用電子機器１の短手方向に沿って互いに間隔を空けて配列されている。
【００１７】
（導光プレート）
導光プレート３０は、一部が第一ケース１０Ａから正面側に露出している第一導光プレート３１と、第一導光プレート３１に対して背面側、つまり第一導光プレート３１に対して光源２０側に配置されている第二導光プレート３２を有する。
【００１８】
図５は、本実施形態に係る照光装置３における導光プレート３０の分解斜視図である。第一導光プレート３１、及び第二導光プレート３２は、ともに厚肉帯状に形成された部材であり、その延在方向における断面は略矩形をなして形成されている。また、導光プレート３０の長手方向における延在寸法は、携帯用電子機器１の幅方向における寸法と略同一である。
【００１９】
第一導光プレート３１及び第二導光プレート３２は、ともに光透過性を有する樹脂に白色の顔料を混入した光透過性材料で形成されている。このため、第一導光プレート３１及び第二導光プレート３２は、ともに乳白色を呈する。第一導光プレート３１は、第二導光プレート３２と比較して、より濃い乳白色を呈する材料である第一の光透過性材料によって形成される。第二導光プレート３２は第一の光透過性材料よりも薄い乳白色を呈する材料である第二の光透過性材料によって形成される。言い換えると、第一導光プレート３１を形成する第一の光透過性材料は、第二導光プレート３２を形成する第二の光透過性材料よりも多量の顔料粒子を含んでいる。したがって、外部から入射した光に対して、第一導光プレート３１は第二導光プレート３２と比較して大きな光拡散率を有する。
【００２０】
第一導光プレート３１の厚さ方向背面側で長手方向両端部の近傍には、正面側から背面側に向かって次第に湾曲するように突出する凸部３１Ａが二つ設けられている。この凸部３１Ａは、正面側から背面側に向かって突出し、光源２０の光軸Ａｃ上を頂点として滑らかに湾曲した凸形状をなしている。また、凸部３１Ａの周りには平面部３３Ｂが形成されており、凸部３１Ａの表面から平面部３３Ｂの表面にかけては滑らかに連続している。さらに、凸部３１Ａの表面と平面部３３Ｂの表面とを含む面は第一入光面をなしている。また、凸部３１Ａの頂部は、光源２０であるＬＥＤの光軸Ａｃ上に位置する。そして、第一導光プレート３１の正面側の面は一様に平坦状に形成されて、第一出光面３５を形成している。この第一出光面３５は、第一ケース１０Ａの正面側で外部に対して露出している。
【００２１】
第二導光プレート３２は、第一導光プレート３１と略同一の幅方向の寸法を有しており、長手方向における延在寸法は、第一導光プレート３１の長手方向における寸法よりも短く形成されている。図３に示すように、第一導光プレート３１と第二導光プレート３２を携帯用電子機器１の厚さ方向において互いに積層した際、正面側に位置する第一導光プレート３１の両端部は、第二導光プレート３２の両端部から突出した状態となる。
【００２２】
また、第二導光プレート３２上の凹部３２Ａの周囲には、凹部３２Ａを取り囲む平面視略矩形状の取付リブがそれぞれ形成されている。取付リブの厚さ方向における寸法は、凹部３２Ａの底部から第二導光プレート３２の下面にかけての寸法と略同一であり、水平方向における寸法は、第二導光プレート３２の幅方向の寸法よりも大きく形成されている。
また、上述のように形成された第二導光プレート３２の正面側の面は、光源２０からの光が出射される第二出光面３７を形成し、第二導光プレート３２の背面側の面は一様に平坦状に形成されて、第二入光面３６を形成している。
【００２３】
第二導光プレート３２の第二出光面３７上で長手方向における両端部の近傍には、第一導光プレート３１の第一入光面３４上に設けられた凸部３１Ａと対応する形状の凹部３２Ａがそれぞれ形成されている。また、凹部３２Ａ同士の離間距離は、第一導光プレート３１上の二つの凸部３１Ａの頂点同士の離間距離と同一に形成されている。これにより、第一導光プレート３１を第二導光プレート３２に積層した場合、凸部３１Ａと凹部３２Ａの形状及び設置位置が対応する。したがって、第一導光プレート３１と第二導光プレート３２は携帯用電子機器１の厚さ方向において互いに隙間なく積層することができる。言い換えると、第一導光プレート３１と第二導光プレート３２は、それぞれの第一入光面３４と第二出光面３７を互いに密着した状態で積層される。また、上述のように第一導光プレート３１と第二導光プレート３２を積層した状態において、第一導光プレート３１と第二導光プレート３２の境界によって境界面３３が形成される。
【００２４】
なお、第一導光プレート３１と第二導光プレート３２を積層するに当たっては、例えば多層成型による二色樹脂成型法を用いることが望ましい。互いに性質の異なる第一の光透過性材料と第二の光透過性材料を用いて一度に射出成型することにより、接着や位置合わせ等の接合工程を経ることなく、第一導光プレート３１と第二導光プレート３２同士を一体に密着して積層することができる。
【００２５】
上述のように一体に積層された第一導光プレート３１及び第二導光プレート３２は、図２と図３に示すように、導光プレート支持部材４０を介して、第一ケース１０Ａ上に支持固定される。このとき、第二導光プレート３２の第二入光面３６は、基板６０上に配置された光源２０に対向するとともに、基板６０の延在する平面と平行な状態で、携帯用電子機器１の第一ケース１０Ａ上に支持固定される。このとき、光源２０であるＬＥＤと第一導光プレート３１（及び第二導光プレート３２）は、第一導光プレート３１に設けられた凸部３１Ａ（及び第二導光プレート３２に設けられた凹部３２Ａ）の頂点が、光源２０であるＬＥＤの光軸Ａｃ線上に位置するようにそれぞれ配置される。また、図２と図３に示すように、基板６０と第一ケース１０Ａとの間にはスペーサ５０が配置されている。これによって光源２０と第二導光プレート３２の第二入光面３６との間には間隙が形成される。
【００２６】
次に、本実施形態に係る照光装置３の作用及び取扱い方法について、図３と図４を参照して説明する。
本実施形態に係る照光装置３を備えた携帯用電子機器１（例えば携帯電話、スマートフォン、タブレット端末等）において、電話やメールの着信等を使用者に通知するための手段の一つとして照光を行う。より詳しくは、不図示の電源から供給された電圧が、電源制御回路６１を介して、光源２０であるＬＥＤを点灯させるための駆動電圧として印加される。
【００２７】
駆動電圧が印加されると、光源２０であるＬＥＤは点灯して光を発する。ＬＥＤから発せられた光は、図３の矢印Ｌ１、Ｌ２に示したような進路を進む。なお、実際の光の進路はＬＥＤの照射角度の範囲にわたって連続的に存在するが、ここでは説明を簡略化するため、代表的な進路のみを図示している。
まず、光源２０であるＬＥＤから発せられた光の一部は、第二導光プレート３２の第二入光面３６に向かって直進する（直進成分Ｌ１）。前述したように、第二導光プレート３２には乳白色の顔料粒子が混入されている。これにより、第二入光面３６から第二導光プレート３２に入射した光は顔料粒子によって拡散され、種々の方向成分に分かれて進む。
【００２８】
一方で、光源２０であるＬＥＤから発せられた光のうち、上述の直進成分Ｌ１以外の光は、第二導光プレート３２の第二入光面３６に対して斜めに入射する（斜行成分Ｌ２）。斜行成分Ｌ２は、第二入光面３６に到達して屈折するとともに、直進成分Ｌ１と同様に第二導光プレート３２内部で拡散され、種々の方向成分に分かれて進む。
【００２９】
上述のように第二導光プレート３２の第二入光面３６に入射した光には直進成分Ｌ１と斜行成分Ｌ２が存在する。そして、直進成分Ｌ１と斜行成分Ｌ２はそれぞれ種々の方向に拡散されて、第一導光プレート３１と第二導光プレート３２との間の境界面３３に到達する。
【００３０】
ここで、境界面３３に到達した光のうち、境界面３３に対する入射角が全反射角よりも小さい角度で入射した光は、境界面３３で反射されて再び第二導光プレート３２の第二入光面３６に向けて進む。第二入光面３６に向けて進んだ光は、第二入光面３６で再び反射されて進路を変え、導光プレート３０の延在する方向の成分を伴って、境界面３３に向かう。
【００３１】
また、前述したように、境界面３３上には凸部３１Ａが形成されている。さらに、凸部３１Ａは、境界面３３の平面部３３Ｂと凸部３１Ａの頂点とを接続する斜面部３３Ａを有している。
【００３２】
ここで、凸部３１Ａは全体が連続的に湾曲した曲面状をなしているため、凸部３１Ａの斜面部３３Ａ上で反射された光は、光軸Ａｃに直交する方向で互いに異なる位置において、互いに異なる方向に進む。さらに、光軸Ａｃに対して垂直な方向における距離の連続的な変化に対して、斜面部３３Ａで反射された光が向かう方向は連続的に変化する。言い換えると、斜面部３３Ａで反射された光は、特定の一点や範囲に収斂することなく種々の方向に進む。
【００３３】
さらに、凸部３１Ａの頂部は光源２０の光軸Ａｃ上に位置しているため、境界面３３上に到達した光は、光軸Ａｃを中心として種々の方向へ反射される。
【００３４】
一方で、境界面３３に達した光のうち、境界面３３で反射されない成分は、境界面３３で屈折するとともに、第一導光プレート３１内部に向かって進む。さらに、第一導光プレート３１内部で拡散され、種々の方向に分かれて進む。前述したように、本実施形態において第一導光プレート３１は第二導光プレート３２よりも濃い乳白色を呈している。したがって、第一導光プレート３１の光拡散率は第二導光プレート３２の光拡散率よりも大きい。これにより、第一導光プレート３１内部に入射した光は、第二導光プレート３２内部を通過した時よりも広い角度にわたって拡散される。
【００３５】
ここで、凸部３１Ａは全体が連続的に湾曲した曲面状をなしているため、凸部３１Ａの斜面部３３Ａ上で屈折した光は、光軸Ａｃに直交する方向で互いに異なる位置において、互いに異なる方向に進む。さらに、光軸Ａｃに対して垂直な方向における距離の連続的な変化に対して、斜面部３３Ａで屈折した光が向かう方向は連続的に変化する。言い換えると、斜面部３３Ａで屈折した光は、特定の一点や範囲に収斂することなく種々の方向に進む。
【００３６】
さらに、凸部３１Ａの頂部は光源２０の光軸Ａｃ上に位置しているため、境界面３３上に到達した光は、光軸Ａｃを中心として種々の方向に屈折する。
【００３７】
そして、第一導光プレート３１内部で拡散された光は、第一導光プレート３１の第一出光面３５に到達し、屈折を経て空気中を進み、やがて携帯用電子機器１の使用者の認識するところとなる。
なお、本実施形態に係る照光装置３では、二つの光源２０（ＬＥＤ）と二つの凸部３１Ａ（凹部３２Ａ）とを備えているが、いずれの凸部３１Ａ（凹部３２Ａ）においても同様の作用が発現する。
【００３８】
上述したように、光源２０であるＬＥＤから発せられた光は、互いに積層された第一導光プレート３１内部と第二導光プレート３２内部において拡散されるため、第一導光プレート３１の第一出光面３５に到達した際に、第一出光面３５を広い範囲にわたって照光することができる。さらに、第一出光面３５上において輝度分布の偏りを生じることなく一様に照光することができるため、目玉感を低減することができる。
【００３９】
また、第一導光プレート３１は第二導光プレート３２よりも大きい光拡散率を有しているため、第二導光プレート３２で一度拡散された光を、第二導光プレート３２においてさらに強く拡散する。これにより、導光プレート３０が一つの材料によって一体に形成されている場合と比較して、第一導光プレート３１の第一出光面３５をより広い範囲にわたって照光することができる。また、第一出光面３５上における輝度分布の偏りをより一層緩和し、目玉感を低減することができる。
【００４０】
さらに、第一導光プレート３１と第二導光プレート３２の境界面３３には凸部３１Ａが形成されていることから、凸部３１Ａの斜面部３３Ａで反射された光は導光プレート３０の延在する方向への成分をともなって進むとともに、再び第二導光プレート３２内部で反射を繰り返して光源２０から遠ざかる方向に進む。これにより、光源２０であるＬＥＤ直上の範囲だけでなく、ＬＥＤから離れた領域にも光が到達することで、より広い範囲を一様に照光することができる。
【００４１】
また、凸部３１Ａは湾曲した曲面状をなしているので、凸部３１Ａの延在範囲に渡って反射光の反射角度が連続的に変化する。したがって、輝度分布の偏りを生じることなく、一様に分散されて広い範囲を照光することができる。一方で、凸部３１Ａが湾曲した曲面状をなしていない場合、言い換えると、角部を有して形成されている場合、角部で反射された光が局所的に収斂されるために、十分な照光範囲が得られず、また輝度分布の偏りも生じることとなる。
【００４２】
（第二実施形態）
次に、図６を参照して本発明の第二実施形態について説明する。
第二実施形態における照光装置３は、第一実施形態と同様に、光源２０、第一導光プレート３１を備えている。ただし、本実施形態における照光装置３は、第二導光プレート３２を備えていない点で第一実施形態と相違する。また、本実施形態における照光装置３において、光源２０は一つであり、第一導光プレート３１に形成された凸部３１Ａも一つである。
【００４３】
本実施形態における照光装置３は、上述の第一実施形態における照光装置３と同様の作用を生じ、第一導光プレート３１の第一出光面３５の広い範囲を照光するとともに、輝度分布の偏りを低減することができる。
【００４４】
以上、本発明の第一実施形態と第二実施形態について図面を参照して詳述したが、具体的な構成はこの実施形態に限られるものではなく、本発明の要旨を逸脱しない範囲の設計変更等も含まれる。
【００４５】
例えば、上述の第一実施形態においては、導光プレート３０は乳白色を呈する樹脂材料によって形成されるとしたが、導光プレート３０の彩色は乳白色に限定されず、光透過性と光拡散性を有する限りにおいて、任意の着色がなされてよい。
【００４６】
また、上述の第一実施形態においては、顔料粒子を樹脂に混入することで光拡散性を高める構成としたが、顔料粒子に代えて微細な気泡などを含ませることで光拡散性を高めた構成であってもよい。
【００４７】
さらに、上述の各実施形態において、導光プレート３０の形状は矩形断面を有する厚肉帯状としたが、導光プレート３０の形状はこれに限定されず、例えば平面上に延在する板状であってもよい。また、光源２０であるＬＥＤの数は上述の第一実施形態において２個としたが、光源２０の個数に限定はなく、例えば平面上において格子状に複数の光源を配列してもよい。
【００４８】
また、上述の各実施形態において、光源２０は導光プレート３０に対して間隙を介して配置される構成としたが、導光プレート３０の内部に光源２０が内蔵される構成であってもよい。
【符号の説明】
【００４９】
１      …携帯用電子機器
２      …液晶画面部
３      …照光装置
１０Ａ  …第一ケース
１０Ｂ  …第二ケース
１０Ｃ  …基板収容ケース
２０    …光源
３０    …導光プレート
３１    …第一導光プレート
３２    …第二導光プレート
３１Ａ  …凸部
３２Ａ  …凹部
３３    …境界面
３３Ａ  …斜面部
３３Ｂ  …平面部
３４    …第一入光面
３５    …第一出光面
３６    …第二入光面
３７    …第二出光面
４０    …導光プレート支持部材
５０    …スペーサ
６０    …基板
６１    …電源制御回路
Ｌ１    …直進成分
Ｌ２    …斜行成分
Ａｃ    …光軸
【図１】
2015041559.tif 000003
【図２】
2015041559.tif 000004
【図３】
2015041559.tif 000005
【図４】
2015041559.tif 000006
【図５】
2015041559.tif 000007
【図６】
2015041559.tif 000008